(57)【特許請求の範囲】
【請求項１】
断面円形の接続部を有する雄型接続端子と、この雄型接続端子が嵌合する雌型接続端子とからなる電気接続端子において、
上記雌型接続端子は、上記雄型接続端子の外周面に接する３つの面を有するように断面三角形の筒状であって、１つの角部に切れ目を有する接続部を有し、
上記接続部の外周には、１つの角部に切れ目を有し上記接続部と相似形である断面三角形のバネ補助部材が嵌合され、上記接続部の切れ目と上記バネ補助部材の切れ目とが異なる位置に配置され、且つ、
上記雄型接続端子の断面円形の接続部の外径よりも上記雌型接続端子の断面三角形の接続部の内接円が小径になるように設定され、
上記雄型接続端子の接続部が上記雌型接続端子の接続部に挿入されることにより、上記雌型接続端子の断面三角形の接続部が押し広げられることを特徴とする電気接続端子。
【発明の詳細な説明】
【技術分野】
【０００１】
本発明は、電気接続端子に関し、特に大電流を必要とする装置に適した導電性の優れた電気接続端子に関するものである。
【背景技術】
【０００２】
従来、この種の電気接続端子としては、例えば特許文献１に記載されているものが知られている。図９は従来の電気接続端子の一例を示す斜視図である。図９に示すように、この電気接続端子２１は、板状の雄型接続端子２２と、この雄型接続端子２２が挿入される平たい四角形の挿入口（接続部）２３ａを有する雌型接続端子２３とから構成されている。挿入口２３ａの一方の辺には雄型接続端子２２を他方の面にある図示しない電気接触部に押し付けるバネ片２４が設けられている。
【０００３】
一般に、大電流を必要とする装置の電気接続端子として上記形状のものを使用する場合、発熱やアークの防止といった点に注意をする必要がある。この場合、雄型接続端子と雌型接続端子との接触部分の電気抵抗を低減することが必要であり、そのためには、雄型接続端子と雌型接続端子との接触点をできる限り増やす必要がある。
【０００４】
【特許文献１】特許２８７８４２９号公報
【発明の開示】
【発明が解決しようとする課題】
【０００５】
しかしながら、上記電気接続端子２１においては、電気的な接触に寄与しているのは接触面の１面（バネ片２４で押えられる面とは反対側の面）だけであり、接触点を増やすことが難しい。
【０００６】
また、雄型接続端子２２と雌型接続端子２３の電気抵抗を低減させるには、雌型接続端子２３のバネ片２４によって雄型接続端子２２と雌型接続端子２３を適切な力で押し付ける必要があるが、バネ片２４を製作するにはバネ片２４の加工工程及びバネ寸法の管理等、難しい技術が必要である。
【０００７】
更に、端子の材料としては、導電性とバネ性の両方の性能が必要であるが、導電率が高くてバネ性が得られる好適な材料がないため、導電性が低くてバネ性が得られる材料を使用しているのが現状であり、大電流に対応するには端子の容積を大きくして対応するしかなかった。
【０００８】
このように、上記電気接続端子２１においては、構造が複雑で、大電流に対応するには大型化を余儀なくされ、製造性や生産性に劣り、コストが高くなっていた。
【０００９】
本発明は、上述した従来の技術が有する課題を解消し、構造が簡単で大電流に対応することができ、小型化及び生産性の向上が図れる電気接続端子を提供することを目的とする。
【課題を解決するための手段】
【００１０】
本発明のうち、請求項１に係る発明は、断面円形の接続部を有する雄型接続端子と、この雄型接続端子が嵌合する雌型接続端子とからなる電気接続端子において、上記雌型接続端子は、上記雄型接続端子の外周面に接する３つの面を有するように断面三角形の筒状であって、１つの角部に切れ目を有する接続部を有し、上記接続部の外周には、１つの角部に切れ目を有し上記接続部と相似形である断面三角形のバネ補助部材が嵌合され、上記接続部の切れ目と上記バネ補助部材の切れ目とが異なる位置に配置され、且つ、上記雄型接続端子の断面円形の接続部の外径よりも上記雌型接続端子の断面三角形の接続部の内接円が小径になるように設定され、上記雄型接続端子の接続部が上記雌型接続端子の接続部に挿入されることにより、上記雌型接続端子の断面三角形の接続部が押し広げられることを特徴とする。
【００１１】
【００１２】
【００１３】
【００１４】
【発明の効果】
【００１５】
請求項１に係る発明によれば、断面円形の接続部を有する雄型接続端子と、この雄型接続端子が嵌合する雌型接続端子とからなる電気接続端子において、上記雌型接続端子は、上記雄型接続端子の外周面に接する３つの面を有するように断面三角形の筒状の接続部を有しているため、構造が簡単で大電流に対応することができ、小型化、生産性の向上及びコストの低減が図れる。
【００１６】
また、上記接続部が、１つの角部に切れ目を有しているため、一枚の金属板を折り曲げることにより断面三角形の筒状の接続部を有する雌型接続端子を容易に製造することができると共に、バネ力ないし押圧力を確保することができる。
【００１７】
【００１８】
【００１９】
また、上記接続部の外周には、１つの角部に切れ目を有し上記接続部と相似形である断面三角形のバネ補助部材が嵌合され、接続部の切れ目とバネ補助部材の切れ目とが異なる位置に配置されているため、接続部のバネ力ないし押圧力を補強できると共に、３つの面に均等な押圧力を確保することができる。
【発明を実施するための最良の形態】
【００２０】
以下に、本発明を実施するための最良の形態を添付図面に基いて詳述する。図１は本発明の実施の形態である電気接続端子を概略的に示す斜視図、図２は雌型接続端子の切れ目を有する接続部を示す断面図、図３は雌型接続端子の切れ目を有しない接続部を示す断面図、図４は雌型接続端子の接続部における雄型接続端子との接触点形状を示す断面図である。
【００２１】
図１において、１は大電流を必要とする装置に適した導電性の優れた電気接続端子で、この電気接続端子１は、断面円形の雄型接続端子２と、この雄型接続端子２が嵌合する雌型接続端子３とからなっている。雄型接続端子２は、断面円形のピン形状をしている。雄型接続端子２は、雌型接続端子３の接続部３ａに挿入嵌合される接続部２ａを有している。
【００２２】
接続部２ａの後端には図示しないケーブル導体を接続するケーブル導体接続部４が設けられている。このケーブル導体接続部４と接続部２ａとの間にはテーパー部２ｃが設けられている。雄型接続端子２は、金属製の板材（金属板）を丸めるか、或いは金属製の丸棒を用いることで容易に成形ないし製作することができる。
【００２３】
一方、雌型接続端子３は、断面三角形の接続部３ａを先端に有し、この接続部の後端には図示しないケーブル導体を接続するケーブル導体接続部５が設けられている。この雌型接続端子３は、金属製の板材（金属板）に裁断及び折り曲げの加工を施すことにより容易に成形ないし製作することができる。すなわち、雌型接続端子３の接続部３ａは、図２にも示すように、金属板を断面三角形状に折り曲げることにより断面三角形の筒状に形成されており、両端部を近接させることにより形成される１つの角部が開放端である切れ目６を有する構造とされている。
【００２４】
上記電気接続端子１においては、断面円形の雄型接続端子２の接続部２ａの外径よりも雌型接続端子３の断面三角形の接続部３ａの内接円が小径になるように設定されている。雌型接続端子３のケーブル導体接続部５は、断面Ｕ字状ないし断面コ字状に折り曲げられ、このケーブル導体接続部５には、これを加締めることにより図示しないケーブル導体が接続固定される。
【００２５】
雌型接続端子３及び雄型接続端子２の材質は、銅又は銅合金とされ、雌型接続端子３の接続部３ａ及び雄型接続端子２の接続部２ａの表面（接触する側の面）には、接触抵抗を低減するために錫、金、銀等のメッキ処理が施されていることが好ましい。
【００２６】
雌型接続端子３の接続部３ａとしては、断面三角形の１つの角部に切れ目６を有していても良いが、図３に示すように切れ目を有していなくても良い。この場合、接続部３ａの開放端である切れ目６は、溶接、ろう付けにより閉じられ、断面三角形の三端（３つの角部）全てが閉じた構造（閉ループ構造）とされる。
【００２７】
雌型接続端子３の接続部３ａの内接円は、雄型接続端子２の接続部２ａの外径よりも小さく設定され、雄型接続端子２の接続部２ａが挿入されることにより雌型接続端子３の接続部３ａの断面三角形が押し広げられ、その反発力（バネ力）で雄型接続端子２の接続部２ａと雌型接続端子３の接続部３ａとの互いに接する接点部７に適切な力が加わる構造になっている。
【００２８】
図４の雌型接続端子３においては、その接続部３ａの内側の３つの各平坦な面に接点部７が生じる。なお、接点部７において、接触性ないし押圧力の向上を図るために、図５又は図６に示すように、雌型接続端子３の接続部３ａの内側の各面には、雄型接続端子２の外周面と接する１つ又は複数（図６の図示例では２つ）の凸部８又は８ａ，８ｂを有していることが好ましい。
【００２９】
図５では、雌型接続端子３の接続部３ａの内側の各面に、雄型接続端子２の外周面と接する１つの凸部８が設けられ、図６では、雌型接続端子３の接続部３ａの内側の各面に、雄型接続端子２の外周面と接する２つの凸部８ａ，８ｂが設けられている。なお、これらの凸部８又は８ａ，８ｂは、接触面積を確保するために軸方向（紙面垂直方向）に長く連続して形成されていることが好ましい。凸部８又は８ａ，８ｂは、凸面状ないし曲面状であることが好ましい。
【００３０】
このように構成された電気接続端子１によれば、断面円形の雄型接続端子２の接続部２ａの外径よりも雌型接続端子３の断面三角形の接続部３ａの内接円が小径であることにより、雄型接続端子２の接続部２ａが雌型接続端子３の接続部３ａに挿入されると、断面三角形の接続部３ａが押し広げられることによりバネ力（反発力）が発生し、そのバネ力により断面三角形の接続部３ａが雄型接続端子２の接続部２ａの外面（外周面）に機械的に押し付けられて電気的に安定した接触を確保することが可能となる。
【００３１】
また、断面三角形の接続部３ａを用いるため、断面円形の雄型接続端子２の接続部２ａの外周面と断面三角形の接続部３ａとが接触する部分が複数（３つ）の接続点（接点部７）となり、これにより接触抵抗が低く抑えられると共に、電流の経路が多数確保されて電流密度が低く抑えられ、結果として大電流を流すことが可能となる。しかも、上記雌型接続端子３の接続部３ａは、内側の各面に、雄型接続端子２の外周面と接する１つ又は複数の凸部８又は８ａ，８ｂを有しているため、接点部７の接触性の向上が図れ、各接点部７の電流密度をより低減させて接触抵抗及び電流集中に起因する発熱量の低減が図れる。したがって、構造が簡単で大電流に対応した小型の電気接続端子を提供することが可能となる。
【００３２】
特に、雄型接続端子２は、金属製の板材（金属板）を丸めるか、或いは金属製の丸棒を用いることで容易に成形することができ、雌型接続端子３は、金属製の板材（金属板）を折り曲げることにより容易に成形することができ、製造性が良く、生産性の向上、コストの低減が図れる。また、図３に示すように接続部３ａの断面三角形の三端（３つの角部）全てが閉じた構造（閉ループ構造）とすれば、断面円形の雄型接続端子２を挿入したとき、雄型接続端子２の接続部２ａに対して断面三角形の三つの面により均等に押圧力を加えることが可能となる。
【００３３】
図７は雌型接続端子の接続部の外周にバネ補助部材を設けた例を示す断面図である。図７の実施の形態では、１つの角部に切れ目（開放端）６を有する断面三角形の接続部３ａの外周に、同じく１つの角部に切れ目（開放端）１０を有する断面三角形のバネ補助部材９が嵌合されている。このバネ補助部材９は、接続部３ａよりも一回り大きい相似形に形成されており、接続部３ａの外周に嵌合装着される。バネ補助部材９の材質としては、バネ性の優れたステンレス、鉄、銅合金等が好ましい。
【００３４】
そして、特に、接続部３ａの切れ目６とバネ補助部材９の切れ目１０とが異なる位置に配置され、接続部３ａの切れ目６がバネ補助部材９の角部１１によって塞がれている。これにより、雌型端子部材３のバネ力を補強でき、雌型端子部材３の３つの面に均等に押圧力を発生させることができ、図３の雌型端子部材３と比較して接続部３ａの切れ目（開放端）６を溶接、ろう付けで閉じるという工程を行わずに済むという効果を奏することができる。
【００３５】
図８は雌型接続端子の接続部の断面形状を多角形とした例を示す断面図である。雌型接続端子３の接続部３ａの断面形状としては、断面三角形が好ましいが、断面多角形であっても良く、図８には接続部３ａを断面六角形に形成した例が示されている。このように雌型接続端子３の接続部３ａを断面多角形に形成しても、前記４の実施の形態と同様の作用効果が得られる。また、図７の実施の形態と同様に、接続部の外周に断面多角形のバネ補助部材を設けても良い。
【００３６】
以上、本発明の実施の形態ないし実施例を図面により詳述してきたが、本発明は前記実施の形態ないし実施例に限定されるものではなく、本発明の要旨を逸脱しない範囲での種々の設計変更が可能である。
【図面の簡単な説明】
【００３７】
【図１】本発明の実施の形態である電気接続端子を概略的に示す斜視図である。
【図２】雌型接続端子の切れ目を有する接続部を示す断面図である。
【図３】雌型接続端子の切れ目を有しない接続部を示す断面図である。
【図４】雌型接続端子の接続部における雄型接続端子との接触点形状を示す断面図である。
【図５】雌型接続端子の接続部における雄型接続端子との接触点形状を示す断面図である。
【図６】雌型接続端子の接続部における雄型接続端子との接触点形状を示す断面図である。
【図７】雌型接続端子の接続部の外周にバネ補助部材を設けた例を示す断面図である。
【図８】雌型接続端子の接続部の断面形状を多角形とした例を示す断面図である。
【図９】従来の電気接続端子の一例を示す斜視図である。
【符号の説明】
【００３８】
１  電気接続端子
２  雄型接続端子
２ａ  接続部
２ｂ  テーパー部
３  雌型接続端子
３ａ  接続部
４  ケーブル導体接続部
５  ケーブル導体接続部
６  切れ目
７  接点部
８  凸部
８ａ，８ｂ  凸部
９  バネ補助部材
１０  切れ目
１１  角部
【図１】
0004577194.tif 000002
【図２】
0004577194.tif 000003
【図３】
0004577194.tif 000004
【図４】
0004577194.tif 000005
【図５】
0004577194.tif 000006
【図６】
0004577194.tif 000007
【図７】
0004577194.tif 000008
【図８】
0004577194.tif 000009
【図９】
0004577194.tif 000010